(57)【要約】【課題】  大型バス室内の窓に複数のディスプレーを設置すると共に、側部にはスケルトンショールームを備えることにより、一度に宣伝広告できる媒体の数を飛躍的に増やし、かつ、揺れの少ない安定したディスプレーにより静止画あるいは動画を表示するとともに、一度にすべてのディスプレーに同一内容の広告内容を表示することも、また、それぞれ異なる広告内容を表示することも自由に設定でき、さらにスケルトンショールームにより商品を展示できる便利な広告バスを提供することにある。【解決手段】大型バスにあって、室内の窓に複数のモニターを設置すると共に、側部にスケルトンショールームを設けたものである。【選択図】図１
0003125087.tif 000002
【実用新案登録請求の範囲】
【請求項１】
大型バスにあって、室内の窓に複数のモニターを設置すると共に、側部にスケルトンショールームを設けたことを特徴とする広告バス。
【請求項２】
大型バスあって、室内の窓に設置され複数のモニターと、DVDプレーヤー分配器と、DVD制御コントローラーと、監視用モニターとを含んでなることを特徴とする広告バス。
【考案の詳細な説明】
【技術分野】
【０００１】
本考案は、室内の窓には複数のモニターを、また、側部にはスケルトンショールームを備える広告バスに関するものである。
【背景技術】
【０００２】
従前から、車両を用いた広告宣伝手段として、トラック荷台に単一のディスプレーを配置し、ディスプレーを広告宣伝用に使用するものとか、あるいは、バスの車体表面に宣伝広告を印刷したものなどが知られている。
【０００３】
しかしながら、前者の広告トラック場合、トラックの荷台は不安定であるためディスプレーが揺れ動きやすい上に、単一の広告宣伝しかできないという物足りなさが、また、後者の広告バスにあっては、宣伝広告印刷物の製作やバス車体外面にそれを貼る作業などを必要とし、宣伝広告の変更に手間がかかる上に、コストが安くないという不満があったものである。
【特許文献１】特開２００５−１６４９６０号公報
【考案の開示】
【考案が解決しようとする課題】
【０００４】
解決しようとする問題点は、大型バス室内の窓に複数のディスプレーを設置すると共に、側部にはスケルトンショールームを備えることにより、一度に宣伝広告できる媒体の数を飛躍的に増やし、かつ、揺れの少ない安定したディスプレーにより静止画あるいは動画を表示するとともに、一度にすべてのディスプレーに同一内容の広告内容を表示することも、また、それぞれ異なる広告内容を表示することも自由に設定でき、さらにスケルトンショールームにより商品を展示できる便利な広告バスを提供することにある。
【課題を解決するための手段】
【０００５】
本案に係る広告バスは、大型バスにあって、室内の窓に複数のモニターを設置すると共に、側部にスケルトンショールームを設けたことを特徴とするものである。
また、本案に係る広告バスは、大型バスあって、室内の窓に設置され複数のモニターと、DVDプレーヤー分配器と、DVD制御コントローラーと、監視用モニターとを含んでなることを特徴とするものである。
【考案の効果】
【０００６】
本に係る広告バスによれば、大型バス室内の窓に複数のディスプレーを設置したから、揺れの激しいトラックの荷台に設置したディスプレーと異なり、バスの車体構造は揺れが少なく、したがってディスプレーも極めて安定している上に、各ディスプレーには、静止画も動画も、また、同一内容の広告内容を表示することも、また、それぞれ異なる広告内容を表示することも自由に設定でき、しかも、側部に設けたスケルトンショールームには、実際の商品を展示できるなど、映像と実物との両面により宣伝広告できる利点がある。また、ディスプレーはバス室内に設けられているから、雨降りにも使用できる。
【考案を実施するための最良の形態】
【０００７】
大型バス室内の窓に複数のモニターを設置すると共に、側部にスケルトンショールームを設ける。また、複数のモニターと、DVDプレーヤー分配器と、DVD制御コントローラーと、監視用モニターとが接続されている。
【実施例】
【０００８】
図１は本案広告バスの概略側面図、図２は本案広告バスの内部を上方から示す説明図、図３はスケルトンショールームを示す説明図である。
図において、本案に係る広告バス１は、室内の窓２に設置された片側６台両側で計12台のモニター３と、DVDプレーヤー分配器（図示しない）と、DVD制御コントローラー（図示しない）と、監視用モニター（図示しない）とを含んでいる。
実際の使用要領は、宣伝広告を録画したDVDをDVDプレーヤー分配器にセットし、DVD制御コントローラーにより、どの宣伝広告をどのディスプレー３に表示するかを設定し、設定通りにディスプレー３に宣伝広告が流されているかを監視用モニターで監視するようにしている。
また、バスの側面４には、トランクルームを改造して、内箱には蛍光アクリル板５、外ふたは透明アクリル板６とするとともに、商品をライトアップするためのライト７が取り付けられたスケルトンショールーム８が設けられ、商品を展示できるようになしている。
尚、上記実施例においては、宣伝広告を録画したＤＶＤを用いてディスプレーに静止画あるいは動画を表示させているが、ディスプレーに表示させる表示手段はこれに限らずどのような手段を用いてもよい。
図中、９はスピーカー、10は発電機である。
【産業上の利用可能性】
【０００９】
揺れの少ない安定した複数のディスプレーにより、同一内容の広告内容を一斉に表示することも、また、ディスプレーごとにそれぞれ異なる広告内容を表示することも、静止画像も動画も自由に設定でき、しかも、側部に設けたスケルトンショールームには、実際の商品を展示できるなど、映像と実物との両面により宣伝広告できる利点がある。
【図面の簡単な説明】
【００１０】
【図１】本案広告バスの概略側面図である。
【図２】本案広告バスの内部を上方から示す説明図である。
【図３】外ふたを開いたスケルトンショールームを示す説明図である。
【符号の説明】
【００１１】
１    広告バス
２    室内窓
３    ディスプレー
４    バス側面
５    蛍光アクリル板
６    透明アクリル板
７    ライト
８    スケルトンショールーム
９    スピーカー
10    発電機
【図１】
0003125087.tif 000003
【図２】
0003125087.tif 000004
【図３】
0003125087.tif 000005
【手続補正書】
【提出日】平成18年6月27日(2006.6.27)
【手続補正１】
【補正対象書類名】実用新案登録請求の範囲
【補正対象項目名】全文
【補正方法】変更
【補正の内容】
【実用新案登録請求の範囲】
【請求項１】
大型バスにあって、室内の窓に複数のモニターを設置すると共に、側部にスケルトンショールームを設けたことを特徴とする広告バス。
【請求項２】
大型バスにあって、室内の窓に設置され複数のモニターと、DVDプレーヤー分配器と、DVD制御コントローラーと、監視用モニターとを含んでなることを特徴とする広告バス。
【手続補正２】
【補正対象書類名】明細書
【補正対象項目名】０００５
【補正方法】変更
【補正の内容】
【０００５】
本案に係る広告バスは、大型バスにあって、室内の窓に複数のモニターを設置すると共に、側部にスケルトンショールームを設けたことを特徴とするものである。
また、本案に係る広告バスは、大型バスにあって、室内の窓に設置され複数のモニターと、DVDプレーヤー分配器と、DVD制御コントローラーと、監視用モニターとを含んでなることを特徴とするものである。